(57)【要約】  無線装置（４００）は、第１および第２のアンテナ（４２、４４）と、第１の送信機（６０）および第１の受信機（６１）を有する第１の送受信機（４０）と、第２の受信機（６２）と、選択可能な第１および第２の状態を実現するように構成されたスイッチング手段（４５、４６）と、第１の送信機（６０）による送信および第２の受信機（６２）による受信を同時に行なうために、第１および第２の状態から選択するように適応された制御手段（５０）とを備える。スイッチング手段（４５、４６）は、第１の送信機（６０）が第１および第２のアンテナ（４２、４４）のどちらか一方に結合され、同時に第２の受信機（６２）がアンテナ（４２、４４）の他方に結合されるのを可能にし、ただし第１の送信機（６０）および第２の受信機（６２）の両方が共通のアンテナ（４２、４４）に結合されることを禁止する。
2008538886.tif 000002
【特許請求の範囲】
【請求項１】
無線装置であって、
第１および第２のアンテナと、
第１の送信機および第１の受信機を備える、第１の送受信機と、
第２の受信機と、
選択可能な第１および第２の状態を実現するように構成されたスイッチング手段であって、
前記第１の状態では、前記第１の送信機の出力は前記第１のアンテナに結合され、前記第２のアンテナには結合されず、前記第２の受信機の入力は前記第２のアンテナに結合され、前記第１のアンテナには結合されず、
前記第２の状態では、前記第１の送信機の出力は前記第２のアンテナに結合され、前記第１のアンテナには結合されず、前記第２の受信機の入力は前記第１のアンテナに結合され、前記第２のアンテナには結合されない、スイッチング手段と、
前記第１の送信機による送信および前記第２の受信機による受信を同時に行なうために、前記第１および第２の状態から選択するように適応された制御手段と
を備える装置。
【請求項２】
前記スイッチング手段が、選択可能な第３および第４の状態を有し、
前記第３の状態では、前記第１の受信機の入力は前記第１のアンテナに結合され、前記第２のアンテナには結合されず、前記第２の受信機の入力は前記第２のアンテナに結合され、前記第１のアンテナには結合されず、
前記第４の状態では、前記第１の受信機の入力は前記第２のアンテナに結合され、前記第１のアンテナには結合されず、前記第２の受信機の入力は前記第１のアンテナに結合され、前記第２のアンテナには結合されず、
前記制御手段は、前記第１および第２の受信機による同時受信のために、前記第３および第４の状態から選択するように適応される請求項１に記載の装置。
【請求項３】
前記スイッチング手段が、選択可能な第５および第６の状態を有し、
前記第５の状態では、前記第１の受信機の入力および前記第２の受信機の入力は前記第１のアンテナに結合され、前記第２のアンテナには結合されず、
前記第６の状態では、前記第１の受信機の入力および前記第２の受信機の入力は前記第２のアンテナに結合され、前記第１のアンテナには結合されず、
前記制御手段は、前記第１および第２の受信機による同時受信のために、前記第３、第４、第５、および第６の状態から選択するように適応される請求項２に記載の装置。
【請求項４】
前記第１の受信機によって受信された信号および前記第２の受信機によって受信された信号の少なくとも１つの品質パラメータを測定することにより信号品質の指標を発生する測定手段を備え、前記制御手段は、前記信号品質の指標に応じて、前記スイッチング手段の状態を選択するように適応される請求項１、２、または３に記載の装置。
【請求項５】
前記制御手段が、受信された信号の値に応答して、前記スイッチング手段の状態を選択するように適応される請求項１、２、３、または４に記載の装置。
【請求項６】
前記制御手段が、以下の条件すなわち、前記第１の送信機が送信していないこと、前記第１の受信機が受信していないこと、前記第２の受信機が受信していないこと、の１つまたは複数が満たされる場合にのみ、前記スイッチング手段の状態を再選択するように適応される前記請求項１から５のいずれか一項に記載の装置。
【請求項７】
前記第１の送受信機が、携帯電話ネットワーク上で動作するように適応された前記請求項１から６のいずれか一項に記載の装置。
【請求項８】
前記第２の受信機が、放送信号を受信するように適応された前記請求項１から７のいずれか一項に記載の装置。
【請求項９】
前記放送信号が、デジタル・テレビジョン信号、またはデジタル音声信号である請求項８に記載の装置。
【発明の詳細な説明】
【技術分野】
【０００１】
本発明は、アンテナ・ダイバシティを組み込んだ無線装置に関する。
【背景技術】
【０００２】
アンテナ・ダイバシティは、無線信号がマルチパス伝搬を受けるシステムにおける通信品質を改善する方法として良く知られている。一部のアンテナ・ダイバシティの構成は、送信用または受信用に複数のアンテナからの選択を可能にし、他の構成は、複数のアンテナを通して受信された信号の結合を可能にする。後者の部類の構成は、信号の結合が行なえる比較的複雑な受信機が必要になる。前者の部類の構成はアンテナ選択ダイバシティと呼ばれ、比較的簡単な受信機を必要とし、本発明に最も該当する。
【０００３】
図１に、アンテナ選択ダイバシティを用いた無線装置の一例が示される。これは、セレクタ・スイッチ１６に結合された送受信機（Ｔｘ／Ｒｘ）１０を備える。セレクタ・スイッチ１６は、２つのアンテナ１２、１３のどちらか一方を、送受信機１０に結合するように制御可能である。したがって送信用および受信用の両方でアンテナを選択することができる。コントローラ（図示せず）がセレクタ・スイッチ１６を制御し、選択は受信信号品質を基準とする。
【０００４】
２つ以上の信号タイプで動作するように装備された無線装置も知られており、たとえば携帯電話ネットワークとの通信用の携帯電話信号だけでなく、ブルートゥース(商標)が使用可能なヘッドセットまたはパーソナル・コンピュータとの通信用のブルートゥース(商標)信号も送信および受信するように装備された携帯電話、および全地球測位システム（ＧＰＳ）信号も受信するように装備された携帯電話がある。その他の組合せも考えられ、たとえばテレビジョン信号も受信するように装備された携帯電話がある。このような装置は、本明細書では「二重信号装置」と呼び、異なるデータ・ビットを伝達する異なる信号を同時に送信および受信できることを特徴とする。「二重信号装置」という用語は、装置が３つ以上の信号を同時に送信および受信するように適応されることが可能であることを除外するものではない。
【０００５】
二重信号装置の一例が、図２に示される。これは、それぞれが、それぞれのアンテナ１２、１４に結合された、２つの送受信機１０、１１を備える。たとえばシステムが戻りの送信を必要としない、放送システムからの放送信号の受信する場合に必要となるように、送受信機の１つは受信機に置き換えることができる。図２に示されるように、二重信号装置は、同時に送信および受信される異なる信号間のアイソレーションを得るために、各受信機または送受信機用に少なくとも１つのアンテナを備え得る。２つの送受信機１０、１１が共通のアンテナを用いることも可能であるが、その場合は２つの送受信機１０、１１の間の十分なアイソレーションを確保するために、フィルタを組み込むことが必要になる。そのようなフィルタは、通過帯域損失が増加し、送信機効率が低下し、部品点数およびコストが増大するので望ましくない。
【０００６】
二重信号装置の通信品質を改善するために、図１に示されるアンテナ・ダイバシティを、図２に示される装置に適用することができる。その結果得られる装置アーキテクチャは図３に示され、図３と、図１または図２に共通な要素には同一の参照番号が割り当てられている。２つの送受信機１０、１１に対するアンテナ・ダイバシティを実現するために、４つのアンテナ１２、１３、１４、１５が設けられ、２つのセレクタ・スイッチ１６を備える二重セレクタ・スイッチ１８を必要とする。スイッチを制御するコントローラは示されていないが、一般に各信号が受けるマルチパス伝搬は独立となるので、各セレクタ・スイッチ１６は独立に制御されることになる。図３に示される装置は４つのアンテナを必要とし、それにより装置の寸法が大きくなるという欠点がある。
【発明の開示】
【発明が解決しようとする課題】
【０００７】
本発明の一目的は、二重信号動作に適応され、アンテナ・ダイバシティを組み込んだ、改良型の無線装置を提供することである。
【課題を解決するための手段】
【０００８】
本発明によれば、無線装置であって、
第１および第２のアンテナと、
第１の送信機および第１の受信機を備える、第１の送受信機と、
第２の受信機と、
選択可能な第１および第２の状態を実現するように構成されたスイッチング手段であって、
第１の状態では、第１の送信機の出力は第１のアンテナに結合され、第２のアンテナには結合されず、第２の受信機の入力は第２のアンテナに結合され、第１のアンテナには結合されず、
第２の状態では、第１の送信機の出力は第２のアンテナに結合され、第１のアンテナには結合されず、第２の受信機の入力は第１のアンテナに結合され、第２のアンテナには結合されない、スイッチング手段と、
第１の送信機による送信および第２の受信機による受信を同時に行なうために、第１および第２の状態から選択するように適応された制御手段と
を備える装置が提供される。
【０００９】
装置は、同時の、異なる信号の送信と受信とが、異なるアンテナを通して行なわれることを確実にするように動作する。本発明は、アンテナ・ダイバシティを組み込んだ二重信号装置を提供するが、必要なアンテナは図３に示される装置よりも少なく、それによって、より小型の装置を実現し、送信機と受信機の間のアイソレーションを得るための要件が簡単になる。これらの利点の恩恵を得るために装置は、同時の、異なる信号の送信と受信用にアンテナを独立に選択することはできない。しかしこのような制約は、たとえば無線システムのサービスエリア内の大部分の場所で予想されるように、信号用アンテナの任意選択の結果として受容できる信号レベルが得られる可能性が、受容できない信号レベルを得る可能性よりも高い環境では、受け入れることができる。
【００１０】
一実施形態では、装置は、第１および第２の受信機が同時に受信しているとき、第１および第２の受信機を、第１および第２のアンテナのうちの異なるアンテナに結合するように適応される。このような実施形態は、実施するのが簡単であるという利点を有する。
【００１１】
もう１つの実施形態では、装置は、第１および第２の受信機が同時に受信しているとき、第１および第２の受信機のいずれかを、独立に第１または第２のアンテナのいずれかに結合するように適応される。このような実施形態は、両方の受信機に、独立な受信ダイバシティを実現するという利点を有する。
【００１２】
制御手段による状態の選択は、信号品質の指標に依存させることができる。アンテナを選択するのに、様々な異なる代替の信号品質基準を使用することができる。たとえば信号品質の指標は、第１および第２のアンテナのいずれかまたは両方を通して第１の受信機によって受信された信号と第２の受信機によって受信された信号のうちの１つまたは複数に対して測定された、品質パラメータから生成させることができる。このようにして装置は、それ自体の受信品質を最適化するように選択を行なうことができる。
【００１３】
制御手段による状態の選択は、第１および第２のアンテナの少なくとも１つを通して受信された信号の値に応答させることができる。このようにして装置は、外部装置であって、装置によって送信された信号を受信し、状態を変化させるためのコマンド、または外部装置によって測定された信号品質の指標を装置に送信する、外部装置による受信を最適化するように選択を行なうことができる。
【００１４】
上記の状態選択基準の組合せを、用いることができる。
【００１５】
次に本発明について、添付の図面を参照して例としてのみ説明する。
【発明を実施するための最良の形態】
【００１６】
図４を参照すると、本発明による無線装置４００の第１の実施形態が示され、第１のアンテナ４２と、第２のアンテナ４４と、第１の送信機６０および第１の受信機６１を備える第１の送受信機４０と、第２の受信機６２とを備える。第１の送受信機４０は、たとえば、ＧＳＭ（グローバル移動通信システム）ネットワーク、またはＵＭＴＳ（汎用移動通信システム）ネットワーク、またはその他携帯電話ネットワークと通信する携帯電話送受信機とすることができる。第２の受信機６２は、第１の受信機６１とは異なるデータ・ビットを伝達する異なる信号を受信するように適応される。第２の受信機６２は、例えば、ＤＶＢ［Digital Video Broadcast―デジタルビデオ放送―］または、特に、ＤＶＢ−Ｈ［Digital Video Broadcast-Handheld］信号などのデジタル・テレビジョン信号、またはその他の放送信号を受信する放送受信機とすることができる。
【００１７】
アンテナ・セレクタ手段４６および経路指定手段４５を含む、スイッチング手段４５、４６がある。アンテナ・セレクタ手段４６は、切換スイッチとして機能し、経路指定手段４５を経由してアンテナ４２または４４のいずれかを第１の送受信機４０に結合し、他方のアンテナ４２または４４を第２の受信機６２に結合する。第１の送受信機４０が半二重通信に適応している場合、すなわち、信号を送信または受信できるが同時にはできない場合、経路指定手段４５は、第１の送信機６０および第１の受信機６１のどちらか一方をアンテナ・セレクタ手段に結合するスイッチとすることができる。半二重通信は、送信と受信は同時に生じる必要はないがユーザには全二重通信動作の印象を与え得る時分割多元接続（ＴＤＭＡ）方式において用いることができる。別法として経路指定手段４５は、第１の送受信機４０が全二重通信に適応されている場合、すなわち送受信機が同時に信号を送信および受信できる場合、または第１の送受信機４０が半二重通信に適応されている場合でも、デュプレクサとすることができる。
【００１８】
スイッチング手段４５、４６は、第１の送信機６０の出力が第１のアンテナ４２に結合され、第２のアンテナ４４には結合されず、第２の受信機６２の入力が第２のアンテナ４４に結合され、第１のアンテナ４２には結合されない第１の状態と、第１の送信機６０の出力が第２のアンテナ４４に結合され、第１のアンテナ４２には結合されず、第２の受信機６２の入力が第１のアンテナ４２に結合され、第２のアンテナ４４には結合されない第２の状態を実現する。スイッチング手段４５、４６の状態は、マイクロコントローラなどの制御手段５０によって制御される。制御手段５０は、第１の送信機６０による送信および第２の受信機６２による受信を同時に行なう必要があるとき、第１および第２の状態の１つを選択するように適応される。
【００１９】
オプションとして、制御手段５０に結合され、第１の受信機６１によって受信された信号および第２の受信機６２によって受信された信号の少なくとも１つの品質パラメータを測定するための信号品質測定手段５２、５３がある。品質パラメータは、信号レベル、信号対雑音比、信号対干渉比、ビット誤り率、フレーム誤り率、信号品質を表すその他のパラメータのうちの１つまたは複数とすることができる。制御手段５０は、測定された品質パラメータの値に従ってスイッチング手段４５、４６の状態を選択する。
【００２０】
別法としてまたは追加として、装置４００は、外部装置からコマンドまたは、装置４００によって送信され外部装置によって受信された信号の品質の指標を受け取り、スイッチング手段４５、４６の状態を選択するために、このコマンドまたは指標を使用することができる。たとえば、外部装置は、外部装置が装置４００から受け取る信号が所定の持続時間の間、所定の品質閾値を下回るとき報告をすることができる。
【００２１】
図５を参照すると、スイッチング手段４５、４６の状態を選択する方法の一実施例が示される。例として、第１の送受信機４０はＧＳＭ送受信機であるとし、第２の受信機６２はＤＶＢ受信機であるとする。方法はステップ１００で開始し、そこでスイッチング手段４５、４６の初期状態が任意に選択され、それにより第１の送受信機４０および第２の受信機６２のそれぞれのためのアンテナが任意に選択される。
【００２２】
フローはステップ１１０へ進み、そこでユーザ・インターフェースによって示されるユーザの要求に従い、装置が現在、ＧＳＭ電話としておよび／またはＤＶＢ受信機として動作する必要があるかどうかを決定するためのテストが実行される。装置がＧＳＭ電話として動作するだけでよい場合は、フローはステップ１２０へ進み、そこで受信信号強度表示（ＲＳＳＩ）回路などの信号品質測定手段５２により、受信されたＧＳＭ信号に対して信号品質測定が実行され、測定値が所定の値ＴGSMを上回るかどうかを決定するためのテストが実行される。測定値が所定の値ＴGSMを上回る場合は、フローはステップ１１０に戻る。スイッチング手段の現在の状態は維持され、ユーザが、ＤＶＢ信号を受信する要求を示したときに、それを検出するために、ステップ１１０のテストがループ内で繰り返される。
【００２３】
ステップ１２０のテストが、測定値が所定の値ＴGSMを上回らないことを示す場合は、フローはステップ１３０へ進み、そこでアンテナが交換され、今度は他方のアンテナが第１の送受信機４０に結合される。次いでステップ１４０では、他方のアンテナによって現在受信されているＧＳＭ信号が、品質基準を満たすかどうかを決定するために、ステップ１２０と同じテストが実行される。測定値が所定の値ＴGSMを上回る場合は、フローはステップ１１０に戻る。
【００２４】
ステップ１４０のテストが、測定値が所定の値ＴGSMを上回らないことを示す場合は、これはアンテナ４２、４４のいずれも品質閾値要件ＴGSMを上回るのに十分な品質のＧＳＭ信号を受信していないことを示し、そのためステップ１５０では、第１の送受信機４０が使用するために、より良い品質のＧＳＭ信号を受信している方のアンテナが選択される。次いでフローは、ステップ１１０へ戻る。
【００２５】
ステップ１１０で、装置がＤＶＢ受信機として動作するだけでよい場合は、フローはステップ１６０へ進み、そこで受信信号強度表示（ＲＳＳＩ）回路などの信号品質測定手段５３により、受信されたＤＶＢ信号に対して信号品質測定が実行され、測定値が所定の値ＴDVBを上回るかどうかを決定するためのテストが実行される。測定値が所定の値ＴDVBを上回る場合はフローはステップ１１０へ戻る。スイッチング手段の現在の状態は維持され、ユーザが、ＧＳＭ信号を受信する要求を示したときにそれを検出するために、ステップ１１０のテストがループ内で繰り返される。
【００２６】
ステップ１６０のテストが、測定値が所定の値ＴDVBを上回らないことを示す場合は、フローはステップ１７０へ進み、そこでアンテナが交換され、他方のアンテナが第２の受信機６２に結合される。次いでステップ１８０では、第２の受信機６２によって現在受信されているＤＶＢ信号が品質基準を満たすかどうかを決定するために、ステップ１６０と同じテストが実行される。測定値が所定の値ＴDVBを上回る場合は、フローはステップ１１０に戻る。
【００２７】
ステップ１８０のテストが、測定値が所定の値ＴDVBを上回らないことを示す場合は、これはアンテナ４２、４４のいずれも品質閾値要件ＴDVBを上回るのに十分な品質のＤＶＢ信号を受信していないことを示し、そのためステップ１９０では、第２の受信機６２が使用するために、より良い品質のＤＶＢ信号を受信している方のアンテナが選択される。次いでフローは、ステップ１１０へ戻る。
【００２８】
その他のアンテナ選択基準を用いることもできる。たとえば装置が、ＧＳＭ携帯電話またはＤＶＢ受信機のいずれかとして、１つのモードだけで動作すればよいときは、制御手段５０は、該当する品質閾値ＴGSMまたはＴDVBを上回る信号を供給するアンテナを選択するのではなく、より良い品質の信号を供給する方のアンテナ４２または４４を選択するように動作することができる。
【００２９】
ステップ１１０のテストが、装置がＧＳＭ携帯電話およびＤＶＢ受信機の両方として同時に動作する必要があることを示す場合は、フローはステップ１６０から１９０へ進み、そこでは、どちらのアンテナを第２の受信機６２に結合すべきかの決定は、ステップ１６０および１８０でＤＶＢ信号に対する選択基準を満たすことを基準とし、第１の送受信機４０は、第２の受信機６２によって用いられないアンテナ４２または４４に結合される。
【００３０】
別法として、ステップ１１０のテストが、装置がＧＳＭ携帯電話およびＤＶＢ受信機の両方として同時に動作する必要があることを示す場合は、フローはステップ１２０から１５０へ進むことができ、そこでは、どちらのアンテナを第１の送受信機４０に結合すべきかの決定は、ステップ１２０および１４０でＧＳＭ信号に対する選択基準を満たすことを基準とし、第２の受信機６２は、第１の送受信機４０によって用いられないアンテナ４２または４４に結合される。
【００３１】
別法として、ステップ１１０のテストが、装置がＧＳＭ携帯電話およびＤＶＢ受信機の両方として同時に動作する必要があることを示す場合は、選択基準は受信されたＧＳＭ信号および受信されたＤＶＢ信号の両方の品質を考慮に入れることができる。たとえばこのような方式は、可能な場合にはＧＳＭ信号およびＤＶＢ信号の両方が、該当する品質閾値ＴGSMまたはＴDVBを超えるレベルで受信されることを確実にするように動作することができる。
【００３２】
別法としてまたは追加として、選択基準は、上述のように、第１および第２の受信機６１、６２のいずれかによって受信された信号の値を考慮に入れることができる。このようにして装置は、装置によって送信される信号を受信し、状態を変化させるコマンドまたは外部装置によって測定された信号品質の指標を装置に送信する、外部装置による受信を最適化するように選択を行なうことができる。
【００３３】
図４に戻ると、上述のように、制御手段５０は、第１の送信機６０による送信および第２の受信機６２による受信を同時に行なう必要があるとき、第１および第２の状態の１つを選択するように適応される。装置４００が、装置４００が動作している方式の要件に従い、またはユーザの要求に従って、第１の受信機６１および第２の受信機６２によって異なる信号を同時に受信する必要がある場合は、オプションとして制御手段５０は、第３および第４の状態の１つを選択するように適応させることができる。第３の状態では、第１の受信機６１の入力は第１のアンテナ４２に結合され、第２のアンテナ４４には結合されず、第２の受信機６２の入力は第２のアンテナ４４に結合され、第１のアンテナ４２には結合されない。第４の状態では、第１の受信機６２の入力は第２のアンテナ４４に結合され、第１のアンテナ４２には結合されず、第２の受信機６２の入力は第１のアンテナ４２に結合され、第２のアンテナ４４には結合されない。制御手段５０は、上述の選択基準の１つまたは複数を用いて、第１および第２の受信機６１、６２による同時受信のために第３および第４の状態から選択するように適応される。
【００３４】
第１の送受信機４０が送信と受信で交互に切り換わる場合、すなわち半二重通信の場合は、制御手段５０は、装置４００を、第１および第２の状態の１つと、第３および第４の状態の１つとで切り換える。通常、ただしそれに限らず、第１の受信機６１による受信および第１の送信機６０による送信は、ほとんどの場合、共に共通のアンテナを通して行なわれるが、アンテナの具体的な選択は伝搬状態が変化するにつれて変わる。これは、ほとんどの場合、状態１および３と、状態２および４を使用する装置に対応する。オプションとして状態の再選択は、送信と受信の切換え時に行なうことができる。
【００３５】
第１の送受信機４０が、第１の送信機６０による送信および第１の受信機６１による受信を同時に行なう場合、すなわち全二重通信の場合は、装置４００は、図４に関して述べたように同時に状態１および３で、または同時に状態２および４で動作することになり、制御手段５０は、上述の選択基準の１つまたは複数に応じてこれらの対の選択を制御している。
【００３６】
図６を参照すると、本発明による無線装置５００の第２の実施形態が示される。以下に述べる差異を除いて、第２の実施形態の要素は、図４に関して上述した第１の実施形態の要素と同一であり同一の参照番号を有する。差異は、次の通りである。
【００３７】
（ｉ）図６のアンテナ・セレクタ手段４６は、セレクタ・スイッチ４８の対として機能し、第１の送受信機４０および第２の受信機６２を、同じまたは異なるアンテナ４２、４４に結合することも含み、アンテナ４２、４４のいずれかに独立に結合することを可能にするように構成される。
【００３８】
（ｉｉ）第２の実施形態でのスイッチング手段４５、４６は、第１の実施形態に関して上述したように、第１、第２、第３、および第４の状態を実現し、追加として第５および第６の状態を実現する。第５の状態では、第１の受信機６１の入力および第２の受信機６２の入力は第１のアンテナ４２に結合され、第２のアンテナ４４には結合されない。第６の状態では、第１の受信機６１の入力および第２の受信機６２の入力は第２のアンテナ４４に結合され、第１のアンテナ４２には結合されない。制御手段は、第１の送信機６０による送信および第２の受信機６２による受信を同時に行なう必要がある場合は、第１および第２の状態の１つを選択し、第１および第２の受信機６１、６２による同時受信が必要な場合は、上述の選択基準の１つまたは複数を用いて第３、第４、第５、または第６の状態を選択するように適応される。
【００３９】
（ｉｉｉ）第１の送受信機４０が、全二重通信を行なえる、すなわち第１の送信機６０による送信および第１の受信機６１による受信を同時に行なえる場合は、選択される両状態の構成が適合していることを条件として、第３、第４、第５、または第６の状態の１つを、第１および第２の状態の１つと同時に選択することができる。たとえば第１および第３の状態の同時選択は、第１の送信機６０および第１の受信機６１を第１のアンテナ４２に結合して、第２の受信機６２を第２のアンテナ４４に結合することになる。別の実施例として、第１および第６の状態の同時選択は、第１の送信機６０を第１のアンテナ４２に結合して、第１および第２の受信機６１、６２を第２のアンテナ４４に結合することになる。したがって第１の送受信機４０による送信と受信は、異なるアンテナを通して同時に行なうことができる。状態が競合するために実施できない、状態の組合せの一例は、状態１と５の同時の組合せである。
【００４０】
図６の実施例は、図５に関して上述した方法により動作することができ、または追加の第５および第６の状態を使用する変形形態を用いることができる。
【００４１】
第１および第２の受信機６１、６２の少なくとも１つは、ＧＳＭ信号またはＤＶＢ−Ｈ信号など、時間フレームに分割された信号を受信するように適応させることができる。この場合、制御手段５０は、そのような信号が受信されている間、受信された信号が再選択によって損なわれないように、時間フレームの境界においてのみスイッチング手段４５、４６の状態を再選択するように適応させることができる。
【００４２】
第１の送受信機４０は、時分割モードで、送信および受信を交互に行なうように適応させることができ、送信または受信のどちらも生じない期間を含むことができ、その期間では省電力を実施することができる。同様に、第２の受信機６２は、受信が生じない期間を有する交互の受信期間に適応させることができ、それにより受信がない期間での省電力が可能になる。制御手段５０は、以下の条件、すなわち、第１の送信機６０が送信していないこと、第１の受信機６１が受信していないこと、第２の受信機６２が受信していないこと、の１つまたは複数が満たされる場合にのみスイッチング手段４５、４６の状態を再選択するように適応させることができる。
【００４３】
オプションとして装置４００または５００は、第２の受信機６２および第２の送信機を備える、第２の送受信機を備えることができる。この場合、制御手段５０、およびスイッチング手段４５、４６は、さらに、第１の送信機６０および第２の送信機による同時送信が、アンテナ４２、４４のうちの異なるアンテナを通して行なわれることを確実にし、それにより共通のアンテナ４２または４４を通して同時送信されないように適応させることができ、かつ第２の送信機による送信および第１の受信機６１による受信が、アンテナ４２、４４のうちの異なるアンテナを通して同時に行なわれることを確実にし、それにより第２の送信機による送信および第１の受信機６１による受信が、共通のアンテナ４２または４４を通して同時に行なわれないように適応させることができる。
【００４４】
測定手段５２、５３は、それぞれの受信機６１、６２に統合することができ、または別々とすることもできる。
【００４５】
スイッチング手段４５、４６は、電子または電気機械技術を用いて実施することができる。
【００４６】
本発明について、２つのアンテナと２つの受信機、およびオプションとして２つの送受信機に関して説明してきたが、より多くのアンテナ、受信機、または送受信機の使用が除外されるものではない。
【００４７】
実施形態について、特にＧＳＭおよびＤＶＢに関して説明してきたが、本発明はまた、その他の無線方式、たとえば無線ローカル・エリア・ネットワーク（ＷＬＡＮ）またはデジタル音声放送（ＤＡＢ）に関連して使用することができる。
【００４８】
装置４００または５００の状態を選択するための、一例としての基準について説明したが、その他の選択基準の使用が除外されるものではない。
【００４９】
本明細書および特許請求の範囲において、要素に先行する語「a」または「an」は、複数のそのような要素の存在を除外するものではない。さらに「備える（comprising）」という語は、列挙されたもの以外の要素またはステップの存在を除外するものではない。
【００５０】
特許請求の範囲において括弧中に含められた参照記号は理解を助けるためであり、限定するものではない。
【００５１】
この開示を読むことにより、当業者にはその他の変更形態が明らかになるであろう。このような変更形態は、無線通信およびアンテナ・ダイバシティ・スキームの分野で既に知られており、本明細書で既に説明された特徴の代わりにまたはそれに追加して用いることができる他の特徴を含むことができる。
【図面の簡単な説明】
【００５２】
【図１】従来技術のアンテナ・ダイバシティ装置のブロック概略図である。
【図２】従来技術の二重信号装置のブロック概略図である。
【図３】アンテナ・ダイバシティを有する二重信号装置のブロック概略図である。
【図４】本発明による装置のブロック概略図である。
【図５】図４の装置を動作させる方法のフローチャートである。
【図６】本発明による別の装置のブロック概略図である。
【図１】
2008538886.tif 000003
【図２】
2008538886.tif 000004
【図３】
2008538886.tif 000005
【図４】
2008538886.tif 000006
【図５】
2008538886.tif 000007
【図６】
2008538886.tif 000008
【国際調査報告】
2008538886.tif 000009
2008538886.tif 000010